(57)【要約】【課題】封筒にシート部材を挿入して封をするだけで商品サンプルや小物商品を配送することができ、発送作業に手間がかからないと共に、市販の封筒を使用することで、コスト的にも有利となり、しかも、シート部材をダイレクトメールとするだけでなく、他のダイレクトメールも同封して配送することができる見本収容体付き配送袋を提供する。【解決手段】封筒２と、この封筒２内に抜き差し可能に挿入するシート部材３と、シート部材３に固定する見本収容体４とからなり、上記封筒２内に、見本収容体４を固定したシート部材３を挿入することにより、見本収容体４をこの封筒２の外部に突出させるための抜き孔８が設けられている。【選択図】  図１
2004352280.tif 000002
【特許請求の範囲】
【請求項１】
封筒と、この封筒内に抜き差し可能に挿入するシート部材と、シート部材に固定する見本収容体とからなり、上記見本収容体は、シート部材によって開口部が閉鎖される容器状に形成され、上記封筒に、見本収容体を固定したシート部材を挿入することにより、見本収容体をこの封筒の外部に突出させるための抜き孔を設けた見本収容体付き配送袋。
【請求項２】
上記見本収容体に、内外に貫通する孔を設けた請求項１に記載の見本収容体付き配送袋。
【発明の詳細な説明】
【０００１】
【発明の属する技術分野】
この発明は、内部に小物商品や昆虫等を入れた状態で配送することができるようにした見本収容体付き配送袋に関する。
【０００２】
【従来の技術】
広告宣伝を印刷するだけでなく、商品サンプルや小物商品を見本収容体内に入れて配送することのできるようにした見本収容体付き配送袋は、すでに提案されており、このような配送袋は、商品サンプルや小物商品を目で見て確認したり、取り出して手で触れることができるので、受け取り人の注意を引いて、直接商品サンプルや小物商品の性能や特徴、品質を訴えることができるという利点がある。
【０００３】
従来、上記のような見本収容体付き配送袋は、二つに折り畳むことのできる一枚の台紙の折り畳み後の表面又は裏面の一方に抜き部を設け、上記抜き部に嵌め込まれる凸部の周囲に、折り畳んだ台紙で挟まれるつば部が周設された見本収容体を台紙に固定し、上記折り畳んだ台紙の重なり合う周囲を接着剤で剥離可能に接着するようにした構造になっている（例えば、特許文献１参照）。
【０００４】
【特許文献１】
特開平９−２２６８３０号公報（図１、図２、図３）
【０００５】
【発明が解決しようとする課題】
ところで、上記のような従来の見本収容体付き配送袋は、一枚の台紙を折り畳んでその折り畳み工程時に、見本収容体を抜き部に嵌め込み、この後、折り畳んだ台紙の重なり合う周囲を接着剤で接着する必要があるため、見本収容体に内容物を入れ、台紙を組み立てて配送可能にするまでの発送工程に手間がかかるという問題がある。
【０００６】
また、台紙は配送のために指定部材となり、これを購入する必要があるので、コスト的に高くつくと共に、台紙はスペース的に制約があるため、ダイレクトメールの種類として選択肢が狭いものである。
【０００７】
そこで、この発明の課題は、見本収容体を取り付けたシート部材を封筒に挿入して配送できるようにし、封筒にシート部材を挿入して封をするだけでよいので、発送作業に手間がかからないと共に、市販の封筒を使用することができるので、コスト的にも有利となり、しかも、シート部材をダイレクトメールとするだけでなく、他のダイレクトメールも同封して発送することができるので、ダイレクトメールの種類として選択肢が広範なものとなる見本収容体付き配送袋を提供することにある。
【０００８】
【課題を解決するための手段】
上記のような課題を解決するため、請求項１の発明は、封筒と、この封筒内に抜き差し可能に挿入するシート部材と、シート部材に固定する見本収容体とからなり、上記見本収容体は、シート部材によって開口部が閉鎖される容器状に形成され、上記封筒に、見本収容体を固定したシート部材を挿入することにより、見本収容体をこの封筒の外部に突出させるための抜き孔を設けた構成を採用したものである。
【０００９】
上記見本収容体は、透明又は不透明の比較的強度のある合成樹脂を用い、容器本体の外周にシート部材へ固定するための鍔部を設けて形成され、この容器本体に内外に貫通する孔を設けた構造とすることができ、見本収容体が透明であれば、商品サンプルや小物商品を目で見て確認することができる。
【００１０】
また、容器本体に設ける孔は、人の指先が入る程度の大径のものから、内部の通気性を確保する程度の小径のものまで、商品サンプルや小物商品の種類に合わせて選択すればよく、内部の通気性を確保することにより、小さな昆虫の配送も可能になる。
【００１１】
上記封筒は、シート部材が収納できるものであればよく、抜き孔の周囲は見本収容体の鍔部に接着するようにすれば、封筒に対するシート部材の位置ずれを防ぐこともできる。
【００１２】
【発明の実施の形態】
以下、この発明の実施の形態を図示例と共に説明する。
【００１３】
この発明の配送袋１は、封筒２と、この封筒２内に抜き差し可能に挿入するシート部材３と、シート部材３の一面側に固定する見本収容体４とからなり、上記見本収容体４は、比較的強度のある合成樹脂を用い、内部中空となる容器本体５の外周にシート部材３へ固定するための鍔部６を設けて形成され、内部に商品サンプルや小物商品ａを収納した状態で、シート部材３に固定することで容器本体５の開口部分が閉鎖されることになる。
【００１４】
なお、見本収容体４は、シート部材３に対して鍔部６を、接着剤や止め針を用いることによりシート部材３に固定するようにし、また、シート部材３は一面側で見本収容体４以外の余剰部分や他面側に印刷等を施し、ダイレクトメールとして使用するようになっている。
【００１５】
このシート部材３は、複数の折り畳み構造として印刷面を多く確保したり、このシート部材３と別の印刷物を封筒２内に同封するようにしてもよい。
【００１６】
上記見本収容体４は、透明又は不透明の何れでもよく、透明であれば開封することなく商品サンプルや小物商品ａを目で見て確認することができ、その容器本体５には内外に貫通する孔７が設けられている。
【００１７】
この孔７は、人の指先が入る程度の大径のものから、内部の通気性を確保する程度の小径のものまで、商品サンプルや小物商品ａの種類に合わせて直径と設ける数及び位置を選択すればよく、人の指先が入る程度に設定すれば、封筒２を開封することなく商品サンプルや小物商品ａを指先で直接さわって確認でき、また、内部の通気性を確保する小径の孔７とすることにより、小さな昆虫類の配送も可能になる。
【００１８】
上記封筒２には、見本収容体４を固定したシート部材３を挿入することにより、見本収容体４の容器本体５をこの封筒２の外部に突出させるための抜き孔８が一面側に設けられている。
【００１９】
上記封筒２の抜き孔８は、容器本体５の外形に丁度外嵌適合する形状と大きさに形成され、この抜き孔８の設ける位置は、例えば、シート部材３の下端が封筒２の下端に達して封筒２内に納まる状態で、見本収容体４の容器本体５と一致するように設定され、封筒２の抜き孔８の周縁部分は見本収容体４の鍔部６に対して接着剤で固定するようにしてもよく、封筒２に対してシート部材３を移動しないように固定化することができる。
【００２０】
この発明の配送袋１は、上記のような構成であり、商品サンプルや小物商品ａを配送するには、容器本体５内に商品サンプルや小物商品ａを入れた見本収容体４を、シート部材３の一面側における所定の位置に固定し、容器本体５の開口面をシート部材３で閉鎖し、このシート部材３を封筒２内に挿入し、必要ならば他のダイレクトメールも同封する。
【００２１】
シート部材３を封筒２内に納めると、見本収容体４の容器本体５が抜き孔８に臨むことになり、容器本体５が抜き孔８から封筒２の外部に突出することになり、必要に応じて封筒２の抜き孔８の周囲を見本収容体４の鍔部６に接着すると共に、封筒２の口部を封止すれば作業が完了し、商品サンプルや小物商品ａとその説明書きや宣伝となるダイレクトメールを配送することができる。
【００２２】
ここで、上記容器本体５が透明であれば、封筒２を開封することなく商品サンプルや小物商品ａを目で見て確認することができ、容器本体５の孔７を人の指先が入る程度に設定すれば、同じく開封することなく商品サンプルや小物商品ａを指先で直接さわって確認でき、受け取り人に興味と関心を持たせることで、封筒２の開封率を飛躍的に増大させることができる。
【００２３】
また、容器本体５は孔７によって内部の通気性を確保できるので、適量な餌と共に小さな昆虫類の配送も可能になる。
【００２４】
上記封筒２は市販のものを使用し、シート部材３をこの封筒２内に納まる大きさに設定すると共に、封筒２の表面又は裏面の一面側に容器本体５が適合する抜き孔８を加工するだけでよいので、コスト的に安価な配送袋となる。
【００２５】
【発明の効果】
以上のように、この発明によると、封筒内に抜き差し可能に挿入するシート部材に、シート部材によって開口部が閉鎖される見本収容体を固定し、上記封筒に、見本収容体を固定したシート部材を挿入することにより、見本収容体をこの封筒の外部に突出させるための抜き孔を設けたので、封筒にシート部材を挿入して抜き孔から見本収容体を外部に突出させ、封筒を閉じるだけで、商品サンプルや小物商品をダイレクトメールと共に配送することができ、発送作業に手間がかからないと共に、配送に市販の封筒を使用することができるので、コスト的にも有利となる。
【００２６】
また、封筒の使用により、見本収容体の閉鎖部材を兼ねるシート部材をダイレクトメールとするだけでなく、他のダイレクトメールも同封して配送することができるので、ダイレクトメールの種類として選択肢が広範なものとなる。
【００２７】
更に、見本収容体に孔を設けたので、内部の通気性を確保でき、生きたまま小さな昆虫類の配送も可能になる。
【図面の簡単な説明】
【図１】この発明に係る見本収容体付き配送袋の分解斜視図
【図２】（Ａ）は見本収容体付き配送袋の組み立て状態を示す斜視図、（Ｂ）は（Ａ）の拡大した縦断面図
【符号の説明】
１    配送袋
２    封筒
３    シート部材
４    見本収容体
５    容器本体
６    鍔部
７    孔
８    抜き孔
【図１】
2004352280.tif 000003
【図２】
2004352280.tif 000004